(57)【要約】【課題】癌が発生している可能性のある部位の特定漏れを抑制することができ、且つ、癌が発生している可能性に応じた表示をすることのできる技術を提供する。【解決手段】本発明の読影装置は、被検体を撮影装置で撮影して得られる複数の断層画像を読影するための読影装置であって、被検体を撮影装置で撮影して得られる複数の断層画像を取得する断層画像取得手段と、被検体の腫瘍マーカー値を含む、被検体の複数種類の検査結果を取得する検査結果取得手段と、検査結果毎に、その検査結果を用いて、被検体の部位のうち癌が発生している可能性のある部位を特定する特定手段と、特定手段で特定された部位毎に、腫瘍マーカー値から、癌が発生している可能性が高いほど高い重要度を決定する重要度決定手段と、複数の断層画像のうち特定手段で特定された部位の断層画像を重要度に応じて表示部に表示する表示手段と、を有する。【選択図】図３
2013126492.tif 000002
【特許請求の範囲】
【請求項１】
被検体を撮影装置で撮影して得られる複数の断層画像を読影するための読影装置であって、
被検体を前記撮影装置で撮影して得られる複数の断層画像を取得する断層画像取得手段と、
前記被検体の腫瘍マーカー値を含む、前記被検体の複数種類の検査結果を取得する検査結果取得手段と、
前記検査結果毎に、その検査結果を用いて、前記被検体の部位のうち癌が発生している可能性のある部位を特定する特定手段と、
前記特定手段で特定された部位毎に、前記腫瘍マーカー値から、癌が発生している可能性が高いほど高い重要度を決定する重要度決定手段と、
前記複数の断層画像のうち前記特定手段で特定された部位の断層画像を重要度に応じて表示部に表示する表示手段と、
を有することを特徴とする読影装置。
【請求項２】
前記表示手段は、重要度の取りうる範囲内の予め定められた一部の範囲に属する重要度の部位の断層画像を表示する
ことを特徴とする請求項１に記載の読影装置。
【請求項３】
前記表示手段は、重要度がより高い部位から順番に、その部位の断層画像を表示する
ことを特徴とする請求項１または２に記載の読影装置。
【請求項４】
前記表示手段は、
前記特定手段で特定された部位の断層画像を順次切り替えて表示するものであり、
重要度が高い部位の断層画像を重要度が低い部位の断層画像よりも遅い速度で切り替える
ことを特徴とする請求項１〜３のいずれか１項に記載の読影装置。
【請求項５】
前記特定手段で特定された部位の断層画像のうち、表示対象の断層画像のそれぞれが所定時間以上表示されていない状態でユーザーから読影の終了が指示された場合に、読影が完了していないことをユーザーに通知する通知手段を更に有する
ことを特徴とする請求項１〜４のいずれか１項に記載の読影装置。
【請求項６】
前記読影装置は、前記重要度決定手段で決定された、前記特定手段で特定された部位毎の重要度を前記撮影装置に出力する出力手段を更に有し、
前記撮影装置は、前記出力手段で出力された重要度に基づいて、重要度が高い部位のほうが重要度が低い部位及び前記特定手段で特定されなかった部位よりも小さくなるように、各部位のスライス間隔を設定する
ことを特徴とする請求項１〜５のいずれか１項に記載の読影装置。
【請求項７】
前記重要度決定手段で決定された重要度に基づいて、重要度が高い部位のほうが重要度が低い部位及び前記特定手段で特定されなかった部位よりも小さくなるように、各部位の、断層画像間の撮影位置の間隔であるスライス間隔を設定する設定手段を更に有する
ことを特徴とする請求項１〜５のいずれか１項に記載の読影装置。
【請求項８】
前記複数種類の検査結果は、ＰＥＴ画像を含む
ことを特徴とする請求項１〜７のいずれか１項に記載の読影装置。
【請求項９】
前記断層画像はＣＴ画像である
ことを特徴とする請求項１〜８のいずれか１項に記載の読影装置。
【請求項１０】
被検体を撮影装置で撮影して得られる複数の断層画像を読影するための読影装置の制御方法であって、
被検体を前記撮影装置で撮影して得られる複数の断層画像を取得する断層画像取得ステップと、
前記被検体の腫瘍マーカー値を含む、前記被検体の複数種類の検査結果を取得する検査結果取得ステップと、
前記検査結果毎に、その検査結果を用いて、前記被検体の部位のうち癌が発生している可能性のある部位を特定する特定ステップと、
前記特定ステップで特定された部位毎に、前記腫瘍マーカー値から、癌が発生している可能性が高いほど高い重要度を決定する重要度決定ステップと、
前記特定ステップで特定された部位の断層画像を重要度に応じて表示部に表示する表示ステップと、
を有することを特徴とする読影装置の制御方法。
【発明の詳細な説明】
【技術分野】
【０００１】
本発明は、読影装置及びその制御方法に関する。
【背景技術】
【０００２】
医療現場では、癌の再発、転移、治療効果を調べることを目的とした経過観察が行われることがある。経過観察では、採取した血液成分の分析を行う腫瘍マーカー検査と、医用画像撮影装置より取得した画像を用いた画像診断などが行われる。ここで、医用画像撮影装置は、ＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ）規格に則した医用画像を生成する装置である。医用画像撮影装置は、例えば、ＰＥＴ（Ｐｏｓｉｔｒｏｎ  Ｅｍｉｓｓｉｏｎ  Ｔｏｍｏｇｒａｐｈｙ）、ＣＴ（Ｃｏｍｐｕｔｅｄ  Ｔｏｍｏｇｒａｐｈｙ）、ＭＲＩ（Ｍａｇｎｅｔｉｃ  Ｒｅｓｏｎａｎｃｅ  Ｉｍａｇｉｎｇ）、超音波診断装置等である。
【０００３】
腫瘍マーカー検査では、腫瘍マーカー値を分析することで、体内の癌細胞が存在する可能性が判断され、癌の発生している可能性のある部位の絞り込みが行われる。通常、医師は、被検体の腫瘍マーカー値を電子データや紙などに書かれたアナログデータを用いて分析することで、癌細胞が存在する可能性を判断する。
ＰＥＴ検査は、癌細胞が正常な細胞よりも多くブドウ糖を取り込む性質を利用した検査である。ＰＥＴ検査では、被検体の体内に薬剤が注入される。そして、薬剤に反応した癌細胞が薬剤の集積度に応じて色分けされたＰＥＴ画像が生成され、診断（読影）される。ＰＥＴ検査は、例えば、経過観察において癌の発生している可能性のある部位の絞り込みのために行われる。
ＣＴ画像診断では、各断層画像が詳細に診断（読影）される。特に、腫瘍マーカー検査やＰＥＴ検査において癌の発生している可能性があると診断された部位（異常部位）の断層画像が、より詳細に診断される。
【０００４】
経過観察では、正確な診断や、医師（読影医）がＣＴ画像等の複数の断層画像から病変が写っている断層画像を効率的に探せることが求められている。
複数の断層画像から病変が写っている断層画像を効率的に探す方法は、例えば特許文献１に開示されている。具体的には、特許文献１に開示の方法では、ＣＡＤ（Ｃｏｍｐｕｔｅｒ−Ａｉｄｅｄ  Ｄｉａｇｎｏｓｉｓ：コンピュータ支援診断）を用いて医用画像をフレーム毎に解析することにより、陽性の病変部の候補が自動検出される。そして、そのような候補が検出されなかったフレームの数が、候補が検出されたフレームの数に対し相対的に低減される。
【先行技術文献】
【特許文献】
【０００５】
【特許文献１】特開２００７−２５２７６３号公報
【特許文献２】特開２００６−１１０１８３号公報
【発明の概要】
【発明が解決しようとする課題】
【０００６】
しかしながら、上述した従来の技術では、１種類の検査結果（ＣＴ画像）から疑いのある病変が特定されるため、疑いのある全ての病変を特定することができないことがある。具体的には、検出方法（検査方法）により、病変の見つけやすさなどの特性が異なるため、上述した従来技術では、疑いのある全ての病変を特定することができないことがある。そのため、病変が写っている全ての断層画像が詳細に読影されないことがある。
また、ＣＴ画像診断などでは、癌である可能性がより高い病変が写っている断層画像（癌の発生している可能性のより高い部位の断層画像）を優先して診断するなど、癌が発生している可能性に応じた読影をしたいというニーズがある。しかしながら、上述した従来の技術では、癌が発生している可能性に応じた読影を行えなかった。
【０００７】
本発明は、癌が発生している可能性のある部位の特定漏れを抑制することができ、且つ、癌が発生している可能性に応じた表示をすることのできる技術を提供することを目的とする。
【課題を解決するための手段】
【０００８】
本発明の読影装置は、
被検体を撮影装置で撮影して得られる複数の断層画像を読影するための読影装置であって、
被検体を前記撮影装置で撮影して得られる複数の断層画像を取得する断層画像取得手段と、
前記被検体の腫瘍マーカー値を含む、前記被検体の複数種類の検査結果を取得する検査結果取得手段と、
前記検査結果毎に、その検査結果を用いて、前記被検体の部位のうち癌が発生している可能性のある部位を特定する特定手段と、
前記特定手段で特定された部位毎に、前記腫瘍マーカー値から、癌が発生している可能性が高いほど高い重要度を決定する重要度決定手段と、
前記複数の断層画像のうち前記特定手段で特定された部位の断層画像を重要度に応じて表示部に表示する表示手段と、
を有することを特徴とする。
【０００９】
本発明の読影装置の制御方法は、
被検体を撮影装置で撮影して得られる複数の断層画像を読影するための読影装置の制御方法であって、
被検体を前記撮影装置で撮影して得られる複数の断層画像を取得する断層画像取得ステップと、
前記被検体の腫瘍マーカー値を含む、前記被検体の複数種類の検査結果を取得する検査結果取得ステップと、
前記検査結果毎に、その検査結果を用いて、前記被検体の部位のうち癌が発生している可能性のある部位を特定する特定ステップと、
前記特定ステップで特定された部位毎に、前記腫瘍マーカー値から、癌が発生している可能性が高いほど高い重要度を決定する重要度決定ステップと、
前記特定ステップで特定された部位の断層画像を重要度に応じて表示部に表示する表示ステップと、
を有することを特徴とする。
【発明の効果】
【００１０】
本発明によれば、癌が発生している可能性のある部位の特定漏れを抑制することができ、且つ、癌が発生している可能性に応じた表示をすることができる。
【図面の簡単な説明】
【００１１】
【図１】実施例１に係る読影システムのシステム構成の一例
【図２】実施例１に係る腫瘍マーカーデータの一例
【図３】実施例１に係る読影装置の機能ブロックの一例
【図４】実施例１に係る腫瘍マーカー分析部の処理フローの一例
【図５】実施例１に係る腫瘍マーカーチェックリストの一例
【図６】実施例１に係る腫瘍マーカー基準値テーブルの一例
【図７】実施例１に係る重要度決定部の処理フローの一例
【図８】被検体を撮影して得られた複数のＣＴ画像の一例
【図９】実施例１に係るＣＴシネ再生部により表示部に表示された画像の一例
【図１０】実施例５に係るＣＴの処理フローの一例
【図１１】図１０のＳ１０１０における通知例
【発明を実施するための形態】
【００１２】
＜実施例１＞
以下、図面を参照して、本発明の実施例１に係る読影装置及びその制御方法について説明する。本実施例に係る読影装置は、被検体を撮影装置で撮影して得られる複数の断層画像を読影するための装置である。
【００１３】
（システム全体の説明）
図１は、本実施例に係る読影システム１のシステム構成図である。
読影システム１は、腫瘍マーカー管理サーバー２、ＰＥＴ３、ＣＴ４、画像管理サーバー５、読影装置６などを有する。読影システム１を構成するこれらの装置は、院内ＬＡＮ（Ｌｏｃａｌ  Ａｒｅａ  Ｎｅｔｗｏｒｋ）７を介して、互いにデータ通信可能に接続されている。
【００１４】
腫瘍マーカー管理サーバー２は、被検体毎に腫瘍マーカーデータを管理する。腫瘍マーカー管理サーバー２は、読影装置６へ読影対象の被検体（読影対象被検体）の腫瘍マーカーデータを送信する。図２に、腫瘍マーカーデータの例を示す。図２に示すように、腫瘍マーカーデータは、被検体を識別可能な被検体ＩＤ、腫瘍マーカー名、腫瘍マーカー値などを含む。図２の例では、被検体ＩＤ「ＫＩＤ００１」の腫瘍マーカー「ＣＡ−１２５」の腫瘍マーカー値は「３０」となっている。なお、図２には、一部の種類の腫瘍マーカーの腫瘍マーカー値が図示されているが、腫瘍マーカーデータは、分析された腫瘍マーカー値をすべて含む。
なお、本実施例では、被検体が人間の場合の例について説明するが、被検体は人間に限らない。被検体は、人間とは異なる動物（例えば、ネズミや犬など）であってもよい。
【００１５】
ＰＥＴ３は、被検体を撮影し、生成されたＰＥＴ画像を画像管理サーバー５へ格納する。
ＣＴ４は、被検体を撮影し、生成されたＣＴ画像を画像管理サーバー５へ格納する。
【００１６】
画像管理サーバー５は、ＰＥＴ３やＣＴ４で生成された画像（ＰＥＴ画像、ＣＴ画像）を被検体ＩＤと対応付けて管理する。画像管理サーバー５は、読影装置６へ読影対象被検体の画像（ＰＥＴ画像やＣＴ画像の画像データ）を送信する。
【００１７】
読影装置６は、被検体を撮影装置で撮影して得られる複数の断層画像を読影するための装置である。本実施例では、上記撮影装置がＣＴ４であり、上記断層画像がＣＴ画像である場合について説明するが、撮影装置や断層画像はこれに限らない。例えば、撮影装置がＭＲＩであり、断層画像がＭＲＩ画像であってもよい。読影装置６は、他の装置から取得した腫瘍マーカーデータとＰＥＴ画像を用いて、癌の発生している可能性のある部位をもれなく特定し、腫瘍マーカーデータを用いて、特定した各部位の重要度付けを行う。重要度は、癌の発生している可能性の度合いを表し、癌が発生している可能性が高いほど高い。
読影装置６の処理の詳細については、後述する。
【００１８】
（読影装置６の機能構成の説明）
図３は、読影装置６の機能ブロック図である。
通信部１００は、院内ＬＡＮ７を介して他の装置と情報の送受信を行う。例えば、通信部１００は、読影対象被検体をＣＴ４で撮影して得られた複数のＣＴ画像を、画像管理サーバー５から取得する（断層画像取得）。また、通信部１００は、読影対象被検体の腫瘍マーカー値を含む、読影対象被検体の複数種類の検査結果を取得する（検査結果取得）。具体的には、通信部１００は、腫瘍マーカー管理サーバー２から読影対象被検体の腫瘍マーカーデータを取得し、画像管理サーバー５から読影対象被検体のＰＥＴ画像を取得する。
入力受信部２００は、読影装置６に接続された入力デバイスからの入力情報を受信する。入力デバイスは、例えば、マウスやキーボードである。例えば、入力受信部２００は、ユーザー操作に応じてマウスやキーボードから出力された情報（操作情報）を受信する。
制御部３００は、読影装置６の各機能部を制御する。また、制御部３００は、各機能部において生成された情報や、通信部１００や入力受信部２００で取得された情報を他の機能部へ伝達する機能を有する。
【００１９】
ＰＥＴ画像分析部４００と腫瘍マーカー分析部５００により、検査結果毎に、その検査結果を用いて、読影対象被検体の部位のうち癌が発生している可能性のある部位（異常部位）が特定される。
ＰＥＴ画像分析部４００は、画像管理サーバー５より取得した読影対象被検体のＰＥＴ画像を用いて、異常部位として、薬剤の集積度が高い部位を特定する。ＰＥＴ画像からの異常部位の特定は、例えば、特開２００６−１４５２８１号公報に開示されている技術を用いて実現することができる。具体的には、ＰＥＴ画像内の集積度が高い領域を特定し、特定された領域の形状と、各臓器のテンプレート形状とを比較し、それらの類似度を算出することで、異常部位を特定することができる。ＰＥＴ画像分析部４００は、特定した異常部位を示す異常部位情報を異常部位統合部６００へ送信する。ここで、異常部位情報は異常部位名を列挙したものであり、例えば「肺」である。
腫瘍マーカー分析部５００は、腫瘍マーカー管理サーバー２より取得した読影対象被検体の腫瘍マーカーデータに含まれる腫瘍マーカー値を分析することにより、異常部位を特定する。腫瘍マーカー分析部５００は、特定した異常部位を示す異常部位情報を異常部位統合部６００へ送信する。例えば、腫瘍マーカー分析部５００で「胆道」が異常部位として特定された場合、腫瘍マーカー分析部５００は異常部位情報として「胆道」を送信する。腫瘍マーカー分析部５００の処理の詳細については、後述する。
【００２０】
異常部位統合部６００は、ＰＥＴ画像分析部４００と腫瘍マーカー分析部５００より取得した異常部位情報を統合する。例えば、ＰＥＴ画像分析部４００より取得した異常部位情報が「肺」であり、腫瘍マーカー分析部５００より取得した異常部位情報が「胆道」である場合、異常部位統合部６００により、それらが統合され、統合異常部位情報「肺、胆道」が生成される。即ち、異常部位統合部６００は、各検査結果（ＰＥＴ画像と腫瘍マーカー値）を用いて特定された異常部位を全て示す統合異常部位情報を生成する。異常部位統合部６００は、統合異常部位情報を重要度決定部８００へ送信する。
【００２１】
腫瘍マーカー情報記憶部７００は、部位毎の分析すべき腫瘍マーカー種類を示す腫瘍マーカーチェックリストと、腫瘍マーカー種類毎の基準値を示す腫瘍マーカー基準値テーブルとを予め記憶する。腫瘍マーカー情報は、必要に応じて、他の機能部により参照される。腫瘍マーカーチェックリストと、腫瘍マーカー基準値テーブルとの例については、後述する。
【００２２】
重要度決定部８００は、各検査結果（ＰＥＴ画像と腫瘍マーカー値）を用いて特定された異常部位毎に、腫瘍マーカー値から、癌が発生している可能性が高いほど高い重要度を決定する。腫瘍マーカー値は、大きいほど癌である可能性が高い値であるため、腫瘍マー
カー値から重要度を決定することができる。本実施例では、重要度決定部８００は、異常部位統合部６００からの統合異常部位情報で示される異常部位毎に、その異常部位の腫瘍マーカー値（読影対象被検体の腫瘍マーカー値）と基準値を比較することにより、異常部位毎の重要度を決定する。重要度決定部８００の処理詳細については、後述する。
重要度記憶部９００は、重要度決定部８００において決定された異常部位毎の重要度を示す重要度情報を記憶する。
【００２３】
ＣＴシネ再生部１０００は、画像管理サーバー５より取得した読影対象被検体の複数のＣＴ画像を表示部（モニター）に表示する。本実施例では、ＣＴシネ再生部１０００は、重要度記憶部９００に記憶されている重要度情報を用いて、特定された異常部位のＣＴ画像を重要度に応じて表示部に表示することができる。ＣＴシネ再生部１０００の処理の詳細については、後述する。
なお、本実施例では、ＣＴシネ再生部１０００は、複数のＣＴ画像を自動で順次切り替えて表示するものとするが、表示するＣＴ画像の切り替えはユーザー操作に応じて行われてもよい。
なお、本実施例では表示部（モニター）は読影装置６とは別体の装置である場合の例について説明するが、表示部は読影装置６の一部であってもよい。
【００２４】
（腫瘍マーカー分析部５００の処理）
図４に、腫瘍マーカー分析部５００の処理フローを示す。
まず、腫瘍マーカー分析部５００は、腫瘍マーカー情報記憶部７００から腫瘍マーカー情報（腫瘍マーカーチェックリストと腫瘍マーカー基準値テーブル）を取得する（Ｓ５０１）。図５に、腫瘍マーカーチェックリストの例を示す。図５の例では、腫瘍マーカーチェックリストは、部位名、分析対象腫瘍マーカー名、分析対象腫瘍マーカー数を含む。分析対象腫瘍マーカー名は、対応する部位に対して分析する必要のある腫瘍マーカーの種類（名前）を示す。図５の腫瘍マーカーチェックリストでは、「胆道」に対して腫瘍マーカー「ＣＡ１９−９」、「ＣＥＡ」を分析する必要があることが示されている。腫瘍マーカー基準値テーブルの例については、後述する。
次に、腫瘍マーカー分析部５００は、全ての部位について分析が完了したか否かを判断する（Ｓ５０２）。腫瘍マーカーが分析されていない部位がある場合は（Ｓ５０２：ｎｏ）、腫瘍マーカー分析部５００は、腫瘍マーカーが分析されていない部位を分析対象の部位（分析対象部位）に設定する（Ｓ５０３）。
【００２５】
Ｓ５０３の次に、腫瘍マーカー分析部５００は、分析対象部位がＰＥＴ画像分析部４００で異常部位として特定された部位であるか否かを判定する（Ｓ５０４）。分析対象部位が既にＰＥＴ画像分析部４００で異常部位として特定されている場合には（Ｓ５０４：ｙｅｓ）、Ｓ５０２へ処理が戻される。分析対象部位がＰＥＴ画像分析部４００で異常部位として特定されていない場合には（Ｓ５０４：ｎｏ）、腫瘍マーカー分析部５００は、腫瘍マーカーチェックリストを参照し、分析対象部位の分析対象腫瘍マーカー数をＮｓｈへ代入する（Ｓ５０５）。このとき、分析対象部位の分析対象腫瘍マーカーの１つが分析対象として設定される。例えば、分析対象部位が「胆道」の場合は、Ｎｓｈ＝２となり、ＣＡ１９−９またはＣＥＡが分析対象として設定される。
そして、腫瘍マーカー分析部５００は、読影対象被検体の分析対象の腫瘍マーカー値をＶｓｈに代入する（Ｓ５０６）。例えば、読影対象被検体の被検体ＩＤがＫＩＤ００１であり、分析対象としてＣＥＡが設定されている場合、Ｖｓｈ＝１５．０となる（図２参照）。
次に、腫瘍マーカー分析部５００は、分析対象腫瘍マーカー数Ｎｓｈが０より大きいか否かを判定する（Ｓ５０７）。分析対象腫瘍マーカー数Ｎｓｈが０以下の場合（Ｓ５０７：ｎｏ）、Ｓ５０２へ処理が戻される。分析対象腫瘍マーカー数Ｎｓｈが０より大きい場合（Ｓ５０７：ｙｅｓ）、腫瘍マーカー分析部５００は、腫瘍マーカー基準テーブルで示
される第１基準値（分析対象として設定されている分析対象腫瘍マーカーの第１基準値）とＶｓｈを比較する（Ｓ５０８）。具体的には、Ｖｓｈが第１基準値以上か否かが判定される。
【００２６】
図６に腫瘍マーカー基準値テーブルの例を示す。図６の例では、腫瘍マーカー基準値テーブルは、腫瘍マーカー名、第１基準値、第２基準値を含む。第１基準値は腫瘍マーカー値が正常値か否か（癌の可能性（疑い）のある値か否か）を判定するための閾値である。第２基準値は腫瘍マーカー値が癌の可能性が極めて高い値か否かを判定するための閾値である。第１基準値と第２基準値は、例えば、ラジオイノムアッセイ法にて医学的に定められた値である。
【００２７】
腫瘍マーカー値Ｖｓｈが第１基準値以上である場合（Ｓ５０８：ｙｅｓ）、腫瘍マーカー分析部５００は、分析対象部位を異常部位として特定し、異常部位情報に追加する（Ｓ５０９）。そして、Ｓ５０２へ処理が戻される。例えば、分析対象がＣＥＡ、Ｖｓｈが１５．０［ｎｇ／ｍｌ］、腫瘍マーカー基準値テーブルが図６のテーブルの場合、Ｖｓｈ＝１５．０［ｎｇ／ｍｌ］は第１基準値５．０［ｎｇ／ｍｌ］より大きいため、「胆道」が異常部位として特定される。
腫瘍マーカー値Ｖｓｈが第１基準値未満である場合（Ｓ５０８：ｎｏ）、腫瘍マーカー分析部５００は、分析対象腫瘍マーカー数Ｎｓｈをデクリメント処理する（Ｓ５１０）。このとき、デクリメント処理後のＮｓｈが０より大きい場合には、分析対象部位の分析対象腫瘍マーカーのうち、分析対象として設定されていない分析対象腫瘍マーカーの１つが分析対象として設定される。そして、Ｓ５０６へ処理が戻される。
Ｓ５０２〜Ｓ５０９の処理が全ての部位について繰り返し行われた後（Ｓ５０２：ｙｅｓ）、本処理フローが終了される。
【００２８】
なお、本実施例では、分析対象部位に対応する１つ分析対象腫瘍マーカーの値が第１基準値を超えている場合に、分析対象部位を異常部位として特定するものとしたが、これに限らない。例えば、分析対象部位に対応する全ての分析対象腫瘍マーカーの値が第１基準値を超えている場合にのみ、分析対象部位が異常部位として特定されてもよい。
また、本実施例では、ＰＥＴ画像分析部４００において異常部位として特定されていない部位について腫瘍マーカー値の分析を行うものとしたが、これに限らない。ＰＥＴ画像分析部４００において異常部位として特定されているか否かに拘わらず、全ての部位について腫瘍マーカー値の分析を行ってもよい。
【００２９】
（重要度決定部８００の処理）
図７に、重要度決定部８００の処理フローを示す。
まず、重要度決定部８００は、腫瘍マーカー情報記憶部７００から腫瘍マーカー情報（腫瘍マーカーチェックリストと腫瘍マーカー基準値テーブル）を取得する（Ｓ８０１）。
次に、重要度決定部８００は、異常部位統合部６００からの統合異常部位情報で示される異常部位数（ＰＥＴ画像分析部４００と腫瘍マーカー分析部５００で特定された異常部位の総数）をＮｂに代入する（Ｓ８０２）。例えば、異常部位情報が「肺、胆道」の場合は、Ｎｂ＝２となる。
そして、重要度決定部８００は、異常部位数Ｎｂが０より大きいか否かを判定する（Ｓ８０３）。
異常部位数Ｎｂが０以下の場合（Ｓ８０３：ｎｏ）、本処理フローが終了される。
異常部位数Ｎｂが０より大きい場合（Ｓ８０３：ｙｅｓ）、重要度決定部８００は、重要度を決定する処理の対象である処理対象部位を設定する（Ｓ８０４）。具体的には、重要度決定部８００は、異常部位情報で示される異常部位のうち、重要度が決定（設定）されていない異常部位の１つを処理対象部位とする。また、このとき、処理対象部位の分析対象腫瘍マーカーの１つが分析対象として設定される。ここでは、処理対象部位として「
胆道」が設定され、分析対象としてＣＥＡが設定されたとする。
【００３０】
Ｓ８０４の次に、重要度決定部８００は、処理対象部位の分析対象腫瘍マーカー数をＮｓｈに代入する（Ｓ８０５）。ここでは、Ｎｓｈは処理対象部位「胆道」の分析対象腫瘍マーカー数「２」となる（図５参照）。
そして、重要度決定部８００は、フラグ変数ｆｌｇＨ，ｆｌｇＭ，ｆｌｇＬを０に初期化する（Ｓ８０６）。ｆｌｇＨ、ｆｌｇＭ、ｆｌｇＬは重要度を決定するために用いられる。ｆｌｇＬ＝１は正常であること、ｆｌｇＭ＝１は癌が発生している可能性があること、ｆｌｇＨ＝１は癌が発生している可能性が極めて高いこと、示す。
次に、重要度決定部８００は、分析対象腫瘍マーカー数Ｎｓｈが０より大きいか否かを判定する（Ｓ８０７）。
分析対象腫瘍マーカー数Ｎｓｈが０より大きい場合（Ｓ８０７：ｙｅｓ）、重要度決定部８００は、読影対象被検体の分析対象の腫瘍マーカー値をＶｓｈに代入する（Ｓ８０８）。ここでは、読影対象被検体ＩＤがＫＩＤ００１であったとする。そのため、ＶｓｈはＣＥＡの腫瘍マーカー値１５．０となる（図２参照）。
【００３１】
Ｓ８０８の次に、重要度決定部８００は、Ｖｓｈが腫瘍マーカー基準値テーブルで示される第２基準値（分析対象として設定されている分析対象腫瘍マーカーの第２基準値）以上か否かを判定する（Ｓ８０９）。
Ｖｓｈが第２基準値以上である場合（Ｓ８０９：ｙｅｓ）、Ｓ８１１へ処理が進められる。
Ｖｓｈが第２基準値未満である場合（Ｓ８０９：ｎｏ）、重要度決定部８００は、Ｖｓｈが第１基準値（分析対象として設定されている分析対象腫瘍マーカーの第１基準値）以上か否かを判定する（Ｓ８１０）。
Ｖｓｈが第１基準値以上である場合（Ｓ８１０：ｙｅｓ）、Ｓ８１２へ処理が進められる。
Ｖｓｈが第１基準値未満である場合（Ｓ８１０：ｎｏ）、Ｓ８１３へ処理が進められる。
【００３２】
Ｓ８１１において、重要度決定部８００は、ｆｌｇＨを１とする。その後、Ｓ８１４へ処理が進められる。
Ｓ８１２において、重要度決定部８００は、ｆｌｇＭを１とする。その後、Ｓ８１４へ処理が進められる。
Ｓ８１３において、重要度決定部８００は、ｆｌｇＬを１とする。その後、Ｓ８１４へ処理が進められる。
例えば、処理対象部位が「胆道」、分析対象がＣＥＡ、腫瘍マーカー基準値テーブルが図６のテーブルの場合には、Ｖｓｈ＝１５．０は基準値２＝１０．０より大きいため、Ｓ８１１においてｆｌｇＨ＝１とされる。
【００３３】
Ｓ８１４において、重要度決定部８００は、分析対象腫瘍マーカー数Ｎｓｈをデクリメント処理する。このとき、デクリメント処理後のＮｓｈが０より大きい場合には、処理対象部位の分析対象腫瘍マーカーのうち、分析対象として設定されていない分析対象腫瘍マーカーの１つが分析対象として設定される。そして、Ｓ８０７へ処理が戻される。
Ｓ８０７〜Ｓ８１４の処理が処理対象部位の全ての分析対象腫瘍マーカーについて繰り返し行われた後、即ちＳ８０７〜Ｓ８１４の処理がＮｓｈ＝０となるまで繰り返し行われた後（Ｓ８０７：ｎｏ）、Ｓ８１５へ処理が進められる。
【００３４】
Ｓ８１５において、重要度決定部８００は、ｆｌｇＨ＝１か否かを判定する。
ｆｌｇＨ＝１の場合（Ｓ８１５：ｙｅｓ）、Ｓ８１７へ処理が進められる。
ｆｌｇＨ＝０の場合（Ｓ８１５：ｎｏ）、重要度決定部８００は、ｆｌｇＭ＝１か否か
を判定する（Ｓ８１６）。
ｆｌｇＭ＝１の場合（Ｓ８１６：ｙｅｓ）、Ｓ８１８へ処理が進められる。
ｆｌｇＭ＝０の場合（Ｓ８１６：ｎｏ）、即ちｆｌｇＬ＝０の場合、Ｓ８１９へ処理が進められる。
【００３５】
Ｓ８１７において、重要度決定部８００は、処理対象部位の重要度として「高」を設定し、重要度記憶部９００に記録する。その後、Ｓ８２０へ処理が進められる。
Ｓ８１８において、重要度決定部８００は、処理対象部位の重要度として、重要度「高」よりも低い「中」を設定し、重要度記憶部９００に記録する。その後、Ｓ８２０へ処理が進められる。
Ｓ８１９において、重要度決定部８００は、処理対象部位の重要度として、重要度「中」よりも低い「低」を設定し、重要度記憶部９００に記録する。その後、Ｓ８２０へ処理が進められる。
例えば、処理対象部位が「胆道」、ｆｌｇＨ＝１の場合、重要度「高」が設定され、重要度記憶部９００に「胆道＝重要度高」が記憶される。
Ｓ８２０において、重要度決定部８００は、異常部位数Ｎｂをデクリメント処理する。そして、Ｓ８０３へ処理が戻される。
【００３６】
Ｓ８０３〜Ｓ８２０の処理が全ての異常部位について繰り返し行われた後、即ちＳ８０７〜Ｓ８１４の処理がＮｂ＝０となるまで繰り返し行われた後（Ｓ８０３：ｎｏ）、本処理フローが終了される。
Ｓ８０３〜Ｓ８２０の処理が全ての異常部位について繰り返し行われることにより、重要度記憶部９００へ異常部位毎の重要度が記憶される。
【００３７】
なお、本実施例では、処理対象部位に対応する１つの分析対象腫瘍マーカーの値に応じて重要度が決定されるものとした。例えば、本実施例では、処理対象部位に対応する複数の分析対象腫瘍マーカーのうち、いずれか１つの分析対象腫瘍マーカーの値が第２基準値以上である場合には、ｆｌｇＨ＝１であるため、ｆｌｇＭ、ｆｌｇＬの値に依らず重要度が「高」に設定される。即ち、本実施例では、ｆｌｇＨ、ｆｌｇＭ、ｆｌｇＬの値がその順番で参照されて重要度が設定される。しかし、重要度の設定方法（決定方法）はこれに限らない。例えば、処理対象部位に対応する全ての分析対象腫瘍マーカーの値が第２基準値以上である場合（ｆｌｇＨ＝１、ｆｌｇＭ＝０、及び、ｆｌｇＬ＝０の場合）にのみ重要度「高」が設定されてもよい。ｆｌｇＨ、ｆｌｇＭ、ｆｌｇＬの値が、ｆｌｇＬ、ｆｌｇＭ、ｆｌｇＨの順番で参照されて重要度が設定されてもよい。例えば、処理対象部位に対応する複数の分析対象腫瘍マーカーのうち、いずれか１つの分析対象腫瘍マーカーの値が第１基準値未満である場合には、ｆｌｇＬ＝１であるため、ｆｌｇＨ、ｆｌｇＭの値に依らず重要度が「低」に設定されてもよい。
【００３８】
（ＣＴシネ再生部の処理）
図８は、読影対象被検体を撮影して得られた複数のＣＴ画像を模式的に示す図である。
図８の例では、被検体の頭部側から足側にかけて、Ｉｍｇ［０］からＩｍｇ［ｎ］のｎ＋１枚（ｎは１以上の整数）のＣＴ画像が得られている。
本実施例では、ＣＴシネ再生部１０００は、異常部位のＣＴ画像を重要度に応じて表示部に表示する際に、重要度の取りうる範囲内の予め定められた一部の範囲に属する重要度の部位のＣＴ画像を表示する。具体的には、ＣＴシネ再生部１０００は、重要度記憶部９００から重要度情報を取得し、ｎ＋１枚のＣＴ画像のうち重要度が「高」の部位のＣＴ画像のみを抽出し、表示する。例えば、重要度記憶部９００から重要度情報として「胆道＝重要度高」が取得された場合には、「胆道」のＣＴ画像Ｉｍｇ［２０］〜Ｉｍｇ［３０］が抽出され、表示される。ＣＴ画像がどの部位の画像かは、例えば、各画像データのヘッダ領域に記載されている部位情報から特定することができる。
【００３９】
（表示例の説明）
図９に、ＣＴシネ再生部１０００により表示部に表示された画像（表示画像）の例を示す。図９の例では、表示画像は、「重要度高部位再生」と書かれたボタンが表示される表示領域５０、「通常再生」と書かれたボタンが表示される表示領域５１、ＣＴ画像が表示される表示領域５２を有する。読影医は表示領域５０または表示領域５１を選択することで、所望の再生方法でＣＴ画像を表示することができる。
具体的には、読影医が表示領域５０（「重要度高部位再生」と書かれたボタン）を選択すると、異常部位のＣＴ画像が重要度に応じて表示部に表示される（重要度「高」の部位のＣＴ画像が表示される）。本実施例では、重要度「高」の部位の複数のＣＴ画像Ｉｍｇ［２０］〜Ｉｍｇ［３０］が、自動で順次切り替えられて表示される。
読影医が表示領域５１（「通常再生」と書かれたボタン）を選択すると、全てのＣＴ画像Ｉｍｇ［０］〜Ｉｍｇ［ｎ］が自動で順次切り替えられて表示される。（任意のＣＴ画像が表示されてもよい）。
なお、本実施例では、異常部位のＣＴ画像を重要度に応じて表示部に表示する際に、重要度「高」の部位のＣＴ画像のみが表示されるものとしたが、これに限らない。例えば、重要度「中」の部位のＣＴ画像のみが表示されてもよい。重要度「低」の部位のＣＴ画像のみが表示されてもよい。重要度「中」の部位及び重要度「高」の部位のＣＴ画像のみが表示されてもよい。
【００４０】
以上述べたように、本実施例によれば、複数の検査結果が取得され、検査結果毎に、その検査結果を用いて異常部位（被検体の部位のうち癌が発生している可能性のある部位）が特定される。それにより、異常部位の特定漏れを抑制することができる。そして、本実施例によれば、特定された異常部位毎に、腫瘍マーカー値から、重要度が決定され、特定された異常部位の断層画像が重要度に応じて表示部に表示される。それにより、癌が発生している可能性に応じた表示を実現することができる。具体的には、本実施例では、重要度の取りうる範囲内の予め定められた一部の範囲に属する重要度の部位の断層画像が表示される。それにより、読影医が所望の重要度の部位のＣＴ画像のみを読影することが可能となるため、読影の効率が向上し、読影の精度の向上が期待できる。
【００４１】
なお、本実施例では、重要度が「高」、「中」、「低」の３つの場合について説明したが、重要度はこれに限らない。例えば、重要度は５段階の値、１０段階の値などであってもよい。重要度は、「高」、「中」、「低」などのカテゴリでなく、数値であってもよい。例えば、腫瘍マーカー値から第１基準値を減算した値を重要度としてもよい。そして、異常部位のＣＴ画像を重要度に応じて表示部に表示する際に、所定の数値範囲内の重要度の部位のＣＴ画像のみが表示されてもよい。
なお、本実施例では、癌が発生している可能性のある部位を特定するために使用する検査結果として、腫瘍マーカー値の他に、ＰＥＴ画像を用いる構成としたが、これに限らない。ＰＥＴ画像以外の検査結果から、癌が発生している可能性のある部位が特定されてもよい。例えば、検査結果は、ＣＴ画像、ＭＲＩ画像などであってもよい。
【００４２】
＜実施例２＞
以下、本発明の実施例２に係る読影装置及びその制御方法について説明する。なお、以下では、実施例１と異なる機能について説明し、実施例１と同様の機能については説明を省略する。
本実施例では、ＣＴシネ再生部１０００は、異常部位のＣＴ画像を重要度に応じて表示部に表示する際に、重要度が高い部位から順番に、その部位のＣＴ画像を表示する。具体的には、ＣＴシネ再生部１０００は、まず重要度「高」の部位の複数のＣＴ画像を順次切り替えて表示し、次に重要度「中」の部位の複数のＣＴ画像を順次切り替えて表示し、最後に重要度「低」の部位の複数のＣＴ画像を順次切り替えて表示する。
【００４３】
以上述べたように、本実施例によれば、重要度がより高い部位から順番に、その部位の断層画像が表示される。それにより、癌が発生している可能性に応じた表示を実現することができる。また、読影医が癌が発生している可能性のより高い部位の断層画像から順に読影をすることができるため、読影の効率および読影の精度の向上が期待できる。
【００４４】
＜実施例３＞
以下、本発明の実施例３に係る読影装置及びその制御方法について説明する。なお、以下では、実施例１と異なる機能について説明し、実施例１と同様の機能については説明を省略する。
本実施例では、ＣＴシネ再生部１０００は、異常部位のＣＴ画像を重要度に応じて表示部に表示する際に、重要度が高い部位のＣＴ画像を重要度が低い部位のＣＴ画像よりも遅い速度で切り替える。具体的には、重要度「低」の部位の複数のＣＴ画像は第１速度で切り替えて表示される。重要度「中」の部位の複数のＣＴ画像は第１速度より速い第２速度で切り替えて表示される。重要度「高」の部位の複数のＣＴ画像は第２速度より速い第３速度で切り替えて表示される。例えば、第１速度＝１０［枚（ＣＴ画像の枚数）／秒］、第２速度＝１５［枚／秒］、第３速度＝２０［枚／秒］である。
なお、重要度毎の再生速度は、メーカーによりあらかじめ設定された速度であってもよいし、ユーザー（読影医）によって設定された速度であってもよい。また、重要度毎の再生速度は、変更可能であってもよい。
【００４５】
以上述べたように、本実施例によれば、重要度が高い部位の断層画像が重要度が低い部位の断層画像よりも遅い速度で切り替えられる。それにより、癌が発生している可能性に応じた表示を実現することができる。また、読影医が重要度が高い部位の断層画像をゆっくり（より詳細に）読影することが可能となるため、読影の精度の向上が期待できる。そして、重要度が低い部位の各断層画像の表示時間が重要度が高い部位の各断層画像の表示時間よりも短くなるため、読影の効率の向上（読影時間の短縮）が期待できる。
【００４６】
＜実施例４＞
以下、本発明の実施例４に係る読影装置及びその制御方法について説明する。なお、以下では、実施例１と異なる機能について説明し、実施例１と同様の機能については説明を省略する。
本実施例では、ＣＴシネ再生部１０００は、特定された異常部位のＣＴ画像のうち、表示対象のＣＴ画像のそれぞれが所定時間以上表示されていない状態でユーザー（読影医）から読影の終了が指示された場合に、読影が完了していないことをユーザーに通知する。
【００４７】
例えば、実施例１のように表示対象のＣＴ画像が重要度「高」の部位のＣＴ画像である場合、ＣＴシネ再生部１０００は、重要度「高」の部位の各ＣＴ画像が所定時間以上（例えば、６０秒）表示されているか否かを判定する。上記判定は、例えば、ユーザーからの読影の終了指示に応じて行われる。
重要度「高」の部位の各ＣＴ画像が所定時間以上表示されている場合は、ＣＴシネ再生部１０００は、読影が完了していると判断する。そして、ＣＴシネ再生部１０００は、読影の終了処理（例えば、読影のためのウィンドウを閉じる処理）を行う。
所定時間以上表示されていないＣＴ画像（重要度「高」の部位のＣＴ画像）がある場合には、ＣＴシネ再生部１０００は、読影が完了していないと判断する。そして、ＣＴシネ再生部１０００は、読影が完了していないことを示す警告画像（例えば、「診断が終了していません。」などの警告文を含む画像）を表示部に表示する。
【００４８】
ここで、各ＣＴ画像の表示時間は、例えば、ＣＴシネ再生部１０００または他の機能部（図３に示す機能部またはそれ以外の機能部）により計測される。その場合、表示対象の
各ＣＴ画像が所定時間以上表示されているか否かは、表示対象の各ＣＴ画像の表示時間の計測値から判定することができる。
また、ユーザーから読影の終了指示は、読影のためのウィンドウを閉じるユーザー操作や、読影のためのウィンドウ内に設けられた、読影の終了のためのボタンを選択するユーザー操作に応じて、入力受信部２００に入力される。
なお、上述したＣＴシネ再生部１０００の処理は、ＣＴシネ再生部１０００以外の機能部により行われてもよい。また、読影が完了していないことは、音声などによりユーザーへ通知されてもよい。
【００４９】
以上述べたように、本実施例によれば、特定された異常部位の断層画像のうち、表示対象の断層画像のそれぞれが所定時間以上表示されていない状態でユーザーから読影の終了が指示された場合に、読影が完了していないことがユーザーに通知される。それにより、読影医による表示対象の断層画像の読影漏れを抑制することができるため、読影の精度の向上が期待できる。
【００５０】
＜実施例５＞
以下、本発明の実施例５に係る読影装置及びその制御方法について説明する。なお、以下では、実施例１と異なる機能について説明し、実施例１と同様の機能については説明を省略する。
本実施例に係るＣＴ４は、断層画像間（ＣＴ画像間）の撮影位置の間隔であるスライス間隔を重要度に基づいて設定可能な構成を有する。
そして、本実施例では、通信部１００は、重要度決定部８００で決定された異常部位毎の重要度をＣＴ４に出力する。
【００５１】
（ＣＴ４の処理）
本実施例では、ＣＴ４は、通信部１００から出力された重要度に基づいて、重要度が高い部位のほうが重要度が低い部位及び特定されなかった部位（異常部位以外の部位）よりも小さくなるように、各部位のスライス間隔を設定する。
【００５２】
図１０に、ＣＴ４の処理フローを示す。
まず、ユーザー（ＣＴ４のユーザー）が撮影を開始する操作（撮影開始操作）を行うと（Ｓ１００１）、ＣＴ４は被検体（撮影対象の被検体）の重要度情報を読影装置６から取得する（Ｓ１００２）。
【００５３】
次に、ＣＴ４は、部位毎に、Ｓ１００３〜Ｓ１００９の処理を行う。
具体的には、Ｓ１００４において、ＣＴ４は、Ｓ１００２で取得した重要度情報を用いて、処理対象の部位の重要度が「高」か否かを判定する。
処理対象の部位の重要度が「高」である場合（Ｓ１００４：ｙｅｓ）、Ｓ１００６へ処理が進められる。
処理対象の部位の重要度が「高」でない場合（Ｓ１００４：ｎｏ）、ＣＴ４は、Ｓ１００２で取得した重要度情報を用いて、処理対象の部位の重要度が「中」か否かを判定する（Ｓ１００５）。
処理対象の部位の重要度が「中」である場合（Ｓ１００５：ｙｅｓ）、Ｓ１００７へ処理が進められる。
処理対象の部位の重要度が「中」でない場合（Ｓ１００４：ｎｏ）、すなわち処理対象の部位の重要度が「低」である場合、Ｓ１００８へ処理が進められる。
【００５４】
Ｓ１００６において、ＣＴ４は、処理対象の部位のスライス間隔を０．５［ｍｍ］に設定する。
Ｓ１００７において、ＣＴ４は、処理対象の部位のスライス間隔を１．０［ｍｍ］に設
定する。
Ｓ１００８において、ＣＴ４は、処理対象の部位のスライス間隔を５．０［ｍｍ］に設定する。
全ての部位についてＳ１００３〜Ｓ１００９の処理が行われた後、ＣＴ４は、撮影条件（各部位のスライス間隔）をユーザーに通知する（Ｓ１０１０）。
【００５５】
図１１に、図１０のＳ１０１０における通知例を示す。
Ｓ１０１０では、ＣＴ４が、図１１に示すような画像を自身の表示部や他の装置（例えば読影装置）の表示部に表示することで、撮影条件をユーザーに通知する。ユーザーは、図１１に示す画像により、各部位のスライス間隔を確認することができる。
図１１に示す画像は、表示領域６０〜６４を有する。
表示領域６０は被検体ＩＤが表示される領域である。被検体ＩＤは自動で設定されてもよいし、ユーザーにより入力されてもよい。表示領域６１は被検体名が表示される領域である。被検体名はユーザーにより入力される。ユーザーは、表示領域６０，６１を見ることで、被検体の情報を把握ことができる。なお、これらの領域には、被検体の体重、身長、体脂肪率などの他の情報が表示されてもよい。
表示領域６２は、被検体のスカウト画像（被検体を模式的に示した画像）が表示される領域である。表示領域６２には、スライス間隔毎に、そのスライス間隔で撮影される範囲（図１１中のＡ，Ｂ，Ｃ）が示されている。表示領域６３は、撮影範囲毎（範囲Ａ，Ｂ，Ｃ）のスライス間隔が表示される領域であり、Ｓ１００３〜Ｓ１００９の処理で設定されたスライス間隔が表示される領域である。図１１の例では、表示領域６３に、範囲Ａ，Ｃのスライス間隔が５．０ｍｍであり、範囲Ｂ（胆道が位置する範囲）のスライス間隔が０．５ｍｍであることが示されている。これは、異常部位である可能性が極めて高い部位（胆道）を含む範囲が他の範囲よりも小さいスライス間隔で撮影されることを意味する。ユーザーは、表示領域６２，６３を見ることで、各部位のスライス間隔を把握することができる。なお、各範囲や各範囲のスライス間隔は、ユーザーにより変更可能であってもよい。
表示領域６４は、撮影を開始するためにユーザーに選択されるボタン（例えば、「撮影開始」と書かれたボタン）が表示される領域である。ユーザーが表示領域６４を選択することにより、設定されたスライス間隔で撮影が行われる。
【００５６】
以上述べたように、本実施例によれば、異常部位毎の重要度が撮影装置（ＣＴ）に出力される。そして、撮影装置により、上記出力された重要度に基づいて、各部位のスライス間隔が自動で設定される。それにより、ユーザーがスライス間隔を入力する手間を省くことができ、撮影の効率を向上することができる（撮影に要する時間を短縮することができる）。また、撮影装置により、重要度が高い部位のほうが重要度が低い部位及び特定されなかった部位よりも小さくなるように、各部位のスライス間隔が設定される。それにより、異常部位である可能性が極めて高い部位を細かいスライス間隔で撮影することができる。そして、読影医が異常部位である可能性が極めて高い部位の断層画像をより詳細に読影することが可能となるため、読影の精度の向上が期待できる。また、必要な断層画像が１回の撮影で得られることが期待できる。必要な断層画像が１回の撮影で得られれば、撮影をやり直す手間がなくなり、撮影及び読影の効率を向上することができる（撮影及び読影に要する時間を短縮することができる）と共に、撮影による被検体への影響を低減することもできる。例えば、撮影装置がＣＴの場合には、被検体の被ばく量を低減することができる。
【００５７】
なお、本実施例ではスライス間隔を０．５［ｍｍ］、１．０［ｍｍ］、５．０［ｍｍ］としたが、これに限らない。各部位に割り当てるスライス間隔の値は、メーカーにより予め設定された値であってもよいし、ユーザーにより設定された値であってもよい。各部位に割り当てるスライス間隔の値は、ユーザーにより変更可能であってもよい。
なお、本実施例では、各部位のスライス間隔が撮影装置（ＣＴ）で設定されるものとしたが、これに限らない。例えば、読影装置が、撮影装置から設定可能なスライス間隔の情報を取得し、各部位のスライス間隔を設定してもよい。具体的には、読影装置が、重要度決定部で決定された重要度に基づいて、重要度が高い部位のほうが重要度が低い部位及び特定されなかった部位よりも小さくなるように、各部位のスライス間隔を設定する設定部を更に有していてもよい。そのような構成にすることにより、上述した効果を得ることができるとともに、従来の撮影装置をそのまま用いることが可能となる。
【００５８】
なお、上述した実施例１〜５の各機能は可能な限り組み合わせ可能である。例えば、実施例２と実施例３とを組み合わせ、重要度がより高い部位から順番に、その部位の断層画像が、その重要度に応じた速度で表示されてもよい。
【符号の説明】
【００５９】
６  読影装置
１００  通信部
４００  ＰＥＴ画像分析部
５００  腫瘍マーカー分析部
８００  重要度決定部
１０００  シネ再生部
【図１】
2013126492.tif 000003
【図２】
2013126492.tif 000004
【図３】
2013126492.tif 000005
【図４】
2013126492.tif 000006
【図５】
2013126492.tif 000007
【図６】
2013126492.tif 000008
【図７】
2013126492.tif 000009
【図８】
2013126492.tif 000010
【図９】
2013126492.tif 000011
【図１０】
2013126492.tif 000012
【図１１】
2013126492.tif 000013